(57)【要約】【課題】ＩＤ抵抗をより広い抵抗値の範囲で判別が可能で、判別できる数を向上させることができる電源装置を提供する。【解決手段】光源２と、前記光源２の特性ごとに異なる抵抗値を有するＩＤ抵抗１とを具備する照明部１０に接続され、前記ＩＤ抵抗１に基づいて前記光源２の特性を判別し、その特性に応じて当該光源２の調光制御を行う電源装置１００であって、前記ＩＤ抵抗１と直列に接続され、ＲＣ回路７が形成されるように設けられた基準コンデンサ３と、前記ＲＣ回路７に基準信号を入力する基準信号出力部６１と、前記ＲＣ回路７からの出力信号と、前記基準信号とに基づいて時間遅れを測定する時間遅れ測定部６２と、前記時間遅れ測定部６２により測定された時間遅れに基づいて前記光源２の特性を判別する特性判別部６３とを備えた。【選択図】図1
2011238380.tif 000002
【特許請求の範囲】
【請求項１】
光源と、前記光源の特性ごとに異なる抵抗値を有するＩＤ抵抗とを具備する照明部に接続され、前記ＩＤ抵抗に基づいて前記光源の特性を判別し、その特性に応じて当該光源の調光制御を行う電源装置であって、
前記ＩＤ抵抗と直列に接続され、時間遅れ発生回路が形成されるように設けられた時間遅れ発生素子と、
前記時間遅れ発生回路に入力される基準信号を出力する基準信号出力部と、
前記時間遅れ発生回路からの出力信号に基づいて時間遅れを測定する時間遅れ測定部と、
前記時間遅れ測定部により測定された時間遅れに基づいて前記光源の特性を判別する特性判別部とを備えることを特徴とする電源装置。
【請求項２】
前記時間遅れ発生素子が、基準コンデンサである請求項１記載の電源装置。
【請求項３】
前記特性判別部が、
前記時間遅れ測定部により測定された時間遅れに基づいて前記ＩＤ抵抗を判別する抵抗判別部と、
前記抵抗判別部が、前記ＩＤ抵抗を複数回判別したそれぞれの判別結果を記憶する判別結果記憶部と、
前記判別結果に記憶されている複数の判別結果をそれぞれを比較し、一致している場合のみ前記ＩＤ抵抗が判別されたと判断する判断部と、
前記判断部が前記ＩＤ抵抗が判別されたと判断した場合に前記第１判別結果又は前記第２判別結果に基づいて前記光源の特性を判別する光源特性判別部とを備えたものである請求項１又は２記載の電源装置。
【請求項４】
前記基準コンデンサの誤差に基づいて定められた誤差補正値を用いて、前記時間遅れ測定部により測定された時間遅れを補正する誤差補正部を更に備えた請求項２又は３記載の電源装置。
【請求項５】
前記基準コンデンサに蓄積された電荷を放電させる強制放電回路を更に備えた請求項２、３又は４記載の電源装置。
【請求項６】
ＩＤ抵抗を判別するための判別回路であって、
前記ＩＤ抵抗と直列に接続され、時間遅れ発生回路が形成されるように設けられた時間遅れ発生素子と、
前記時間遅れ発生回路に入力される基準信号を出力する基準信号出力部と、
前記時間遅れ発生回路からの出力信号に基づいて時間遅れを測定する時間遅れ測定部と、
前記時間遅れ測定部により測定された時間遅れに基づいて前記ＩＤ抵抗を判別する抵抗判別部とを備えたことを特徴とする判別回路。
【発明の詳細な説明】
【技術分野】
【０００１】
本発明は、特性の異なる光源が取り付けられたとしても、その特性に応じて制御態様を変更する電源装置及びその判別回路に関するものである。
【背景技術】
【０００２】
照明機構においてＬＥＤ等の光源をその種類、用途、並べられている個数等の様々な仕様の違いがあったとしても、ＬＥＤの特性を判別し、その特性に応じて定格電流で調光制御ができるように構成された電源装置が特許文献１に示されている。
【０００３】
このものは、照明機構においてＬＥＤと並列にＩＤ抵抗が設けられており、コネクタにより前記照明機構と電源装置が接続されると、ＬＥＤの点灯下限電圧以下の電圧でＩＤ抵抗に電圧が印加され、前記ＩＤ抵抗の種類により変化する電源装置内の抵抗に分配される電圧を検知するように構成されている。より具体的には、ＩＤ抵抗の抵抗値をＲ、電源装置内の抵抗の抵抗値をｒ、印加される電圧をＥとすると、前記電源装置内の抵抗に分圧される電圧Ｖは、Ｖ＝Ｅｒ／（Ｒ＋ｒ）で表されることから、ＩＤ抵抗の抵抗値Ｒが変更されるとそれに応じて電圧Ｖは変化する。そこで、前記電源装置では電源装置内の抵抗に分圧される電圧Ｖを測定し、その結果に基づいてマイコン内のメモリに記憶されたテーブルを参照してＬＥＤの特性を判別するように構成されている。
【０００４】
しかしながら、このように電源装置内の抵抗にかかる電圧Ｖを検知し、ＩＤ抵抗の種類を判別する方法では、判別できる種類の数が現状では満足のできるものではない。前述した式からも分かるように、ＩＤ抵抗の抵抗値Ｒが電源装置内の抵抗の抵抗値ｒに対して十分に大きくなってしまうと、ＩＤ抵抗の抵抗値Ｒによらず、検知される電圧Ｖは略ゼロになってしまう。あるＩＤ抵抗から別のＩＤ抵抗に変更したときに検知される電圧Ｖの差がＡ／Ｄボードの分解能よりも小さくなってしまうと、２つの異なるＩＤ抵抗を判別することができなくなってしまうため、抵抗値Ｒの大きい領域では判別が難しい。逆に考えると、各抵抗に分圧される電圧からＩＤ抵抗を判別する場合には、電源装置内の抵抗が決まってしまうと、その抵抗値ｒに応じて判別できるＩＤ抵抗の抵抗値Ｒの値も略決まってしまい、限られた抵抗の種類からＩＤ抵抗を選択しなくてはならなくなってしまう。
【０００５】
また、ＩＤ抵抗には製造誤差等により抵抗値も誤差が含まれているため、特にＩＤ抵抗の抵抗値Ｒが大きい領域では、ＩＤ抵抗の種類による違いが表れているのか、誤差により違いが表れているのかが分からなくなってしまう。このため、上述したような電源装置内の抵抗に分圧される電圧を検知してＩＤ抵抗を判別する方法では、ＩＤ抵抗の抵抗値Ｒの範囲については特に上限側を制限せざるを得ず、判別できるＩＤ抵抗の数を多くすることが難しい。また、抵抗値Ｒの大きい領域でも判別できるようにするために、Ａ／Ｄボードの検出できる電圧の分解能をあげることも考えられるが、高価な部品を使用することになってしまい、コストの上昇を招き、製品としてのバランスを欠くものになってしまう。
【先行技術文献】
【特許文献】
【０００６】
【特許文献１】特開２００６−３５１４８４号公報
【発明の概要】
【発明が解決しようとする課題】
【０００７】
本発明は、上述したような問題点を鑑みてなされたものであり、従来のようにＩＤ抵抗に分圧される電圧を検知して、各ＩＤ抵抗の種類を判別するのではなく、全く新しい方法によってＩＤ抵抗の判別を行い、より広い抵抗値の範囲で判別が可能で、判別できる数を向上させることができる電源装置及び判別回路を提供することを目的とする。
【課題を解決するための手段】
【０００８】
すなわち、本発明の電源装置は、光源と、前記光源の特性ごとに異なる抵抗値を有するＩＤ抵抗とを具備する照明部に接続され、前記ＩＤ抵抗に基づいて前記光源の特性を判別し、その特性に応じて当該光源の調光制御を行う電源装置であって、前記ＩＤ抵抗と直列に接続され、時間遅れ発生回路が形成されるように設けられた時間遅れ発生素子と、前記時間遅れ発生回路に入力される基準信号を出力する基準信号出力部と、前記時間遅れ発生回路からの出力信号と、前記基準信号とに基づいて時間遅れを測定する時間遅れ測定部と、前記時間遅れ測定部により測定された時間遅れに基づいて前記光源の特性を判別する特性判別部とを備えることを特徴とする。
【０００９】
また、本発明の判別回路は、ＩＤ抵抗を判別するための判別回路であって、前記ＩＤ抵抗と直列に接続され、時間遅れ発生回路が形成されるように設けられた時間遅れ発生素子と、前記時間遅れ発生回路に入力される基準信号を出力する基準信号出力部と、前記時間遅れ発生回路からの出力信号と、前記基準信号とに基づいて時間遅れを測定する時間遅れ測定部と、前記時間遅れ測定部により測定された時間遅れに基づいて前記ＩＤ抵抗を判別する抵抗判別部とを備えたことを特徴とする。
【００１０】
このようなものであれば、時間遅れ発生回路で生じる時間遅れを計測することによりＩＤ抵抗の種類を判別するように構成されていることから、抵抗値Ｒが大きくなったとしてもそれに比例させて時間遅れを発生させることができるので、各ＩＤ抵抗において差が表れやすくして、違いを判別しやすくすることができる。また、ＩＤ抵抗の抵抗値Ｒが大きくなった場合に時間遅れもその分大きくすることもできるので、ＩＤ抵抗に含まれる抵抗の誤差の影響を小さくすることができ、ＩＤ抵抗の判別が行いやすい。
【００１１】
つまり、従来のように分圧される電圧値を検出するような構成の場合には、ＩＤ抵抗の抵抗値Ｒが大きい領域では、ＩＤ抵抗による違いがほとんど現れなかったのに対して、時間遅れによりＩＤ抵抗を判別するように構成されたことによって、抵抗値Ｒが大きい領域でも、測定値に違いが現れるので判別を行うことができるようになる。従って、ＩＤ抵抗の抵抗値Ｒについてより広い範囲において違いを検出し判別することができるため、より多くの種類のＩＤ抵抗を検知する事が可能となる。
【００１２】
また、各抵抗に分圧される電圧からＩＤ抵抗を判別する方法では、線形性の良い区間が限られているため、ＩＤ抵抗として使用できる抵抗の種類も限られていたが、本発明によれば、ＩＤ抵抗の抵抗値と時間遅れとの関係を良い線形性を有しているものにできるので、使用するＩＤ抵抗の抵抗値の間隔を短くしても判別することができ、より多くの種類の抵抗をＩＤ抵抗として使用できる。加えて、抵抗値が大きくなるほど時間遅れは大きくなるので、例えば、タイマのクロックを短くする等といった計測器の性能を向上させなくても計測時間を延ばすだけでより多くの種類のＩＤ抵抗を判別できるようになる。もちろん、タイマのクロックを短くすることによっても判別できるＩＤ抵抗の種類をより多くすることができる。
【００１３】
さらに、電源装置側に時間遅れ発生素子が設けてあるので、時間遅れを発生させるのに照明部に時間遅れ発生素子を設ける必要が無い。従って、特に照明部のバリエーションが多く、電源装置を数種類に限定されている場合には、時間遅れ素子のキャリブレーションを数種類の製品だけ行えばよく、製造や検査における負担を軽減することができる。また、仮に照明部に時間遅れ発生素子を設けると、光源からの熱により時間遅れ素子に誤差が発生し、判別できるＩＤ抵抗の種類が減ってしまう可能性がある。それに対して本発明では電源装置に時間遅れ発生素子が設けられているので、そのような問題が生じるのを防ぐことができる。
【００１４】
さらに、このようにＩＤ抵抗の検知できる種類の数が向上するので、１つの電源装置で対応できる照明部の数も向上し、より広い製品ラインナップに対応することができる。
【００１５】
前記時間遅れ発生素子が、基準コンデンサであれば、回路の時定数をＲＣとすることができ、時間遅れ発生回路において発生する時間遅れは時定数ＲＣに関連した値となる。従って、測定される時間遅れは抵抗値Ｒに比例するので、特に抵抗値Ｒが大きい場合において各判別抵抗での時間遅れの違いが表れやすく、判別できる範囲を従来よりも拡張するのに適している。
【００１６】
検知されるＩＤ抵抗の種類についての誤検出を減らすためには、前記特性判別部が、前記時間遅れ測定部により測定された時間遅れに基づいて前記ＩＤ抵抗を判別する抵抗判別部と、前記抵抗判別部が、前記ＩＤ抵抗を複数回判別したそれぞれの判別結果を記憶する判別結果記憶部と、前記判別結果に記憶されている複数の判別結果をそれぞれを比較し、一致している場合のみ前記ＩＤ抵抗が判別されたと判断する判断部と、前記判断部が前記ＩＤ抵抗が判別されたと判断した場合に前記第１判別結果又は前記第２判別結果に基づいて前記光源の特性を判別する光源特性判別部とを備えたものであればよい。
【００１７】
基準コンデンサの誤差を加味して算術値との違いがあまり生じないようにして、検出精度を良くするには、前記基準コンデンサの誤差に基づいて定められた誤差補正値を用いて、前記時間遅れ測定部により測定された時間遅れを補正する誤差補正部を更に備えたものであればよい。
【００１８】
前記基準コンデンサに電荷が残っていることにより測定される時間遅れに誤差が発生するのを防ぎ、より精度よくＩＤ抵抗の判別が行えるようにするには、前記基準コンデンサに蓄積された電荷を放電させる強制放電回路を更に備えたものであればよい。
【発明の効果】
【００１９】
このように本発明の電源装置及び判別回路によれば、ＩＤ抵抗と時間遅れ発生素子により構成される時間遅れ発生回路に基準信号を入力し、当該基準信号に対する出力信号から時間遅れを測定し、その時間遅れに基づいてＩＤ抵抗を判別するように構成されているので、ＩＤ抵抗の抵抗値Ｒが大きくなったとしても、時間遅れはそれに比例して大きくなり各ＩＤ抵抗の違いが表れやすくすることができるとともに、各ＩＤ抵抗に含まれる抵抗値の誤差の測定結果への影響も小さくすることができるので、判別できるＩＤ抵抗の種類をより多くすることができるようになる。
【図面の簡単な説明】
【００２０】
【図１】本発明の一実施形態に係る光照射装置を示す模式図。
【図２】同実施形態における機能ブロック図。
【図３】同実施形態における時間遅れの測定について示す模式的グラフ。
【図４】同実施形態における組立時の基準コンデンサの静電容量の測定手順を示すフローチャート。
【図５】同実施形態におけるＩＤ抵抗の判別手順を示すフローチャート。
【発明を実施するための形態】
【実施例】
【００２１】
以下、本発明の一実施形態について図面を参照して説明する。
【００２２】
本実施形態の光照射装置２００は、図１の模式図に示すようにＬＥＤ２を光源とする照明部１０と、前記照明部１０が接続され、当該照明部１０の調光を行う電源装置１００とから構成してある。
【００２３】
前記照明部１０は、前記電源装置１００と接続されるコネクタＣと、前記ＬＥＤ２と、前記ＬＥＤ２の特性ごとに応じたＩＤ抵抗１とを備えたものであり、前記ＬＥＤ２と前記ＩＤ抵抗１は前記電源装置１００と接続されたときに時間遅れが発生する回路が構成されるようにしてある。
【００２４】
この照明部１０は、用途等に応じてＬＥＤ２の個数やその定格電流又は定格電圧が異なっており、様々な種類が用意されるものである。前記ＩＤ抵抗１は、前記照明部１０の種類ごとに抵抗値Ｒの異なるものが用いてある。
【００２５】
前記電源装置１００は、前記ＬＥＤ２と接続される可変電圧電源５をと、前記ＩＤ抵抗１と接続され、当該ＩＤ抵抗１の判別を行い、判別された照明部１０の特性に応じた制御を可変電圧電源５に対して行う制御機構Ｓとを備えたものである。
【００２６】
前記可変電圧電源５は、後述する制御部６からの指令された電圧や電流を前記ＬＥＤ２に印加するものである。
【００２７】
前記制御機構Ｓは、図２の機能ブロック図に示すように前記ＩＤ抵抗１と直列に接続されて、時間遅れ発生回路たるＲＣ回路７を構成するように設けてある基準コンデンサ３と、前記基準コンデンサ３と直列に設けてあるシュミットトリガ４と、前記ＩＤ抵抗１の判別を行い、特定された照明部１０の種類に応じた電圧を印加するように前記可変電圧電源５を制御する制御部６とから構成してある。さらに、前記基準コンデンサ３には、蓄積された電荷を放電するための強制放電回路８が設けてある。
【００２８】
前記基準コンデンサ３は、後述するように測定によって実際の静電容量が把握されているものであり、表示されている静電容量に対する誤差が既知のものである。そして、前記基準コンデンサ３の静電容量に誤差が含まれていたとしても後述する誤差補正値によってその誤差を考慮して使用できるようにしてあるものである。
【００２９】
前記シュミットトリガ４は、例えば、基準コンデンサ３の電圧が所定電圧以上となることを条件に矩形波を前記制御部６に出力して、前記制御部６において検出しやすいようにするためのものである。
【００３０】
前記強制放電回路８は、前記基準コンデンサ３と並列に設けられたＦＥＴ（電界効果トランジスタ）によって構成されるものであり、そのゲートが前記制御部６の端子に接続され、後述する強制放電回路制御部６５がドレインからソースへと流れる電流のオンオフを制御するようにしてある。
【００３１】
前記制御部６は、Ｉ／Ｏポート、タイマ、カウンタ、ＣＰＵ、ＲＡＭ及びＲＯＭからなるメモリ等を有する制御用のマイコンによってその機能が実現されるものであって、少なくとも、基準信号出力部６１、時間遅れ測定部６２、特性判別部６３、電源制御部６４、強制放電回路制御部６５としての機能を発揮するものである。ここで、前記基準コンデンサ３、前記基準信号出力部６１、前記時間遅れ測定部６２、前記特性判別部６３が請求項での判別回路に相当する。
【００３２】
前記基準信号出力部６１は、前記照明部１０が前記電源装置１００に接続されたときに、前記ＲＣ回路７に対して基準信号である矩形波を出力するものである。また、前記基準信号出力部６１が基準信号を出力する前に、前記強制放電回路制御部６５は、前記強制放電回路８をオンの状態にして、前記基準コンデンサ３に蓄積されている電荷を放電させて、時間遅れの測定に前記基準コンデンサ３内の電荷が悪影響を与えないようにしてある。
【００３３】
前記時間遅れ測定部６２は、前記ＲＣ回路７からの出力信号と、前記基準信号に基づいて時間遅れを測定するものである。具体的には、図３に示すように前記基準信号出力部６１から矩形波が出力されたことをもって、測定開始フラグがオンとなる。測定開始フラグがオンとなった時点からカウンタによりカウントを開始し、前記出力信号である前記ＲＣ回路７からの出力信号の電圧が、所定の電圧になった時点でシュミットトリガ４から出力信号が出力されて、測定終了フラグがオンとなり、カウントが終了されるように構成してある。このようにして、前記時間遅れ測定部６２は、基準信号出力部６１から矩形波が出力された時点から前記時間遅れ測定部６２に信号が戻ってくるまでの時間を測定するものである。ここで、時間遅れは、理想的には前記ＩＤ抵抗１の抵抗値Ｒと前記基準コンデンサ３の静電容量Ｃの積である時定数ＲＣにより表わされる量である。時間遅れはＲＣの定数倍等のＲＣに基づいた値で記述することができる。そして前記時間遅れ測定部６２は、後述する前記誤差補正値記憶部６２１から誤差補正値を参照し、その誤差補正値を測定された時間遅れであるカウント値にかけて補正してカウント補正値として、ＲＡＭ上に構成されたカウント補正値記憶部６２２に一時的に記憶させるように構成してある。
【００３４】
前記特性判別部６３は、前記時間遅れ測定部６２により測定された時間遅れに基づいて前記ＬＥＤ２の特性を判別するものである。より具体的には、前記特性判別部６３は、少なくとも２回の時間遅れの測定結果に基づいて前記ＬＥＤ２の種類を特定するように構成してある。すなわち、前記特性判別部６３は、少なくとも抵抗判別部６３１、ＩＤデータ記憶部６３６、誤差補正値記憶部６２１、ＩＤ仮判別結果記憶部６３２、候補判別結果記憶部６３３、判断部６３４、光源特性判別部６３５から構成してある。
【００３５】
前記抵抗判別部６３１は、前記時間遅れ測定部６２により測定された時間遅れに基づいて前記ＩＤ抵抗１を判別するものである。より具体的には、前記抵抗判別部６３１は、前記時間遅れとそれに対応するＩＤ抵抗１の種類とに関する時間遅れ―ＩＤ抵抗対応表を前記ＲＯＭ上に予め記憶させてあるＩＤデータ記憶部６３６を参照し、測定された時間遅れからＩＤ抵抗１の種類を判別する。ここで、前記抵抗判別部６３１は、時間遅れについては前記カウント補正値記憶部６２２に記憶された補正された時間遅れを用いて、ＩＤ抵抗１の判別を行うように構成してある。
【００３６】
前記誤差補正値記憶部６２１は、後述するように電源装置１００の初回組み立て時において、基準抵抗を用いて基準コンデンサ３の誤差に起因する時間遅れの誤差を測定しておき、測定される時間遅れと計算上の時間遅れとの間の誤差が小さくなるような補正係数を記憶するものであり、前記ＲＯＭ上に構成してある。より具体的には、前記誤差補正値記憶部６２１は、前記カウンタのカウント値に対してかけるべき補正係数を記憶させてある。
【００３７】
前記仮判別結果記憶部６３２は、前記抵抗判別部６３１が前記ＩＤ抵抗１を判別するごとに判別結果を更新して記憶するものであり、前記ＲＡＭ上に形成してあるものである。
【００３８】
候補判別結果記憶部６３３は、後述する前記判断部６３４においてＩＤ抵抗１が判別されていないと判断された場合に、前記仮判別結果記憶部６３２に記憶されている判別結果を新たに記憶するものであり、前記ＲＡＭ上に形成してあるものである。
【００３９】
なお、前記仮判別結果記憶部６３２と前記候補判別結果記憶部６３３が請求項における前記抵抗判別部が、前記ＩＤ抵抗を複数回判別したそれぞれの判別結果を記憶する判別結果記憶部に相当する。
【００４０】
前記判断部６３４は、複数の判別結果を比較して一致している場合に前記ＩＤ抵抗１が判別されたと判断するように構成してある。より具体的には、前記仮判別結果記憶部６３２と前記候補判別結果記憶部６３３とを参照して、前記前記第１判別結果と前記第２判別結果とを比較し、一致している場合のみ前記ＩＤ抵抗１が判別された判断するものである。
【００４１】
前記光源特性判別部６３５は、前記判断部６３４がＩＤ抵抗１が判別されたと判断した場合に前記第２判別結果に基づいて、光源の特性を判別するものである。より具体的には、前記光源特性判別部６３５は、ＩＤ抵抗１とＬＥＤ２の種類や特性等によって決まる前記照明部１０の仕様の対応表を記憶する仕様記憶部６３７を参照して接続されている当該照明部１０の仕様を判別し、例えば定格電流を流すのに必要な電圧や、ＬＥＤ２が壊れない上限電流や上限電圧等の情報を取得するものである。
【００４２】
前記電源制御部６４は、例えば、前記光源特性判別部６３５が取得した定格電流、定格電圧、上限電流、上限電圧等の情報に基づいて前記照明部１０の仕様ごとに適した電流制御や電圧制御を前記可変電圧電源５に対して行うものである。
【００４３】
このように構成された照明装置について特に電源装置１００の初期設定及びＩＤ抵抗１の判別に関する動作について説明する。
【００４４】
まず図４のフローチャートを用いて、前記照明装置の組立時に行われる基準コンデンサ３の実際の静電容量を測定し、時間遅れの測定に用いられる誤差補正値を設定するための手順について説明する。初回組立時には、前記マイコンに対して初期設定動作モードに移るように外部から入力を行う（ステップＳ１）。次に前記照明部１０もしくは前記電源装置１００内に抵抗値が予め分かっている基準抵抗を取り付け、前記基準信号出力部６１から矩形波を出力し前記時間遅れ測定部６２により時間遅れを測定する（ステップＳ２）。時間遅れはＲＣ回路７において理想的には時定数ＲＣに基づいた値で表されることから、測定された時間遅れと比較を行い、基準コンデンサ３の静電容量Ｃの誤差を算出する（ステップＳ３）。最後に前記ＲＯＭ上に構成してある前記誤差補正値記憶部６２１に対して、前記静電容量Ｃの誤差に基づいて、測定されたカウント値を補正するための誤差補正値の情報を記憶させる（ステップＳ４）。
【００４５】
次に、ＩＤ抵抗１を判別する動作について図５のフローチャートを用いて説明する。
【００４６】
まず、前記照明部１０がコネクタＣを介して前記電源装置１００に接続されて、ＩＤ抵抗１が接続されているかどうかについてのチェックが行われる（ステップＳ５）。その後に、前記カウント補正値記憶部６２２、前記仮判別結果記憶部６３２、前記候補判別結果記憶部６３３に記憶されている情報をリセットする（ステップＳ６）。
【００４７】
次に、前記強制放電回路８により前記基準コンデンサ３内に蓄積された電荷が放電された後に（ステップＳ７）、前記基準信号出力部６１により前記基準コンデンサ３と前記ＩＤ抵抗１により形成されるＲＣ回路７に矩形波の出力が開始される（ステップＳ８）。前記基準信号出力部６１から矩形波が出力された時点から、ＲＣ回路７からの出力信号の電圧が規定の所定電圧である閾値になるまで、すなわち、シュミットトリガ４から出力信号が出力されるまでの時間遅れが前記時間遅れ測定部６２によりカウントされる。測定された時間遅れを示すカウント値は、前記誤差補正値記憶部６２１に記憶されている誤差補正値に基づいて補正される（ステップＳ９）。そして、カウント値に誤差補正値がかけられた値が、カウント補正値としてＲＡＭ上にある前記カウント補正値記憶部６２２に記憶される（ステップＳ１０）。
【００４８】
前記カウント補正値記憶部６２２に記憶された時間遅れを示すカウント補正値に基づいて、前記抵抗判別部６３１は、ＩＤデータ記憶部６３６を参照して対応表から前記ＩＤ抵抗１の判別を行う（ステップＳ１１）。前記時間遅れに対して対応するＩＤ抵抗１のデータが無い場合には、測定をもう一度やり直す（ステップＳ１２）。データが存在した場合には、前記抵抗判別部６３１により判別された判別結果は、前記仮判別結果記憶部６３２に記憶される（ステップＳ１３）。
【００４９】
前記仮判別結果記憶部６３２に新たな判別結果が記憶された場合には、前記判断部６３４は、は前記仮判別結果記憶部６３２に記憶されている判別結果と、前記候補判別結果記憶部６３３に記憶されている判別結果との比較を行う（ステップＳ１４）。初回の時間遅れ測定結果では、候補判別結果記憶部６３３はリセットされてから情報の更新が行われていないことから前記仮判別結果記憶部６３２と前記候補判別結果記憶部６３３のそれぞれに記憶されている判別結果は一致しないのでもう一度測定を繰り返される。その際、前記仮判別結果記憶部６３２に記憶されていた第１判別結果の情報が、前記候補判別結果記憶部６３３に記憶される（ステップＳ１５）。前記抵抗判別部６３１が２回目の測定によって得られた時間遅れによってＩＤ抵抗１の判別を行うと、前記仮判別結果記憶部６３２は、先の測定で得られた第１判別結果を記憶している状態から、新たに判別された第２判別結果を更新して記憶する（ステップＳ１３）。
【００５０】
そして、前記判断部６３４は、前記候補判別結果記憶部６３３に記憶している前記第１判別結果と前記仮判別結果記憶部６３２に記憶している前記第２判別結果とを比較し、一致しているかどうかを再び判断する（ステップＳ１４）。一致している場合のみ、ＩＤ抵抗１の判別が成功したと判断する（ステップＳ１６）。一致しなかった場合は、前記候補判別結果記憶部６３３は、前記仮判別結果記憶部６３２に記憶されていた第２判別結果を新たに記憶し(ステップＳ１５)、新たな時間遅れの測定を行いＩＤ抵抗１の判別がやり直され新たな第３判別結果を前記仮判別結果記憶部６３２が記憶する。つまり、前記仮判別結果記憶部６３２と前記候補判別結果記憶部６３３は、ＩＤ抵抗１の判別が行われる度に１つずつ記憶している結果が最新の情報に更新されることになる。なお、所定回数繰り返してもＩＤ抵抗１の判別に成功しない場合には（ステップＳ１７）、その旨を表示し判別の動作を終了するようにしてもよい（ステップＳ１８）。
【００５１】
前記判断部６３４がＩＤ抵抗１の判別が成功したと判断した場合には、前記光源特性判別部６３５は、仕様記憶部６３７を参照して前記候補判別結果記憶部６３３に記憶されている判別結果から前記照明部１０の仕様を判別し、仕様に関する情報を取得する。
【００５２】
前記光源特性判別部６３５により判別された前記照明部１０の仕様に基づいて前記電源制御部６４は、前記可変電圧電源５によって前記ＬＥＤ２に例えば定格電流又は定格電圧で電流が流れるように制御を開始する。
【００５３】
このように構成された本実施形態の光照射装置２００、電源装置１００、判別回路は、前記ＩＤ抵抗１と前記基準コンデンサ３により構成されたＲＣ回路７に矩形波を入力し、その出力に表れる時間遅れを測定して、その時間遅れに基づいてＩＤ抵抗１を判別するように構成されている。従って、本実施形態の照明装置によれば、従来のようにＩＤ抵抗１の抵抗値Ｒと電源装置１００内の抵抗値ｒのそれぞれに分圧される電圧を測定してＩＤ抵抗１の判別を行う場合には、抵抗値Ｒが大きな値になるほど略同じ値を取るためＩＤ抵抗１の判別が難しくなっていたのに対して、時間遅れは抵抗値Ｒと静電容量Ｃとの積ＲＣで表される値に基づいて決まっていることから抵抗値Ｒが大きくなると略比例して時間遅れも大きくなり、抵抗値Ｒが大きい値をとっても各ＩＤ抵抗１での違いが表れやすい。
【００５４】
さらに、従来の分圧を測定する方法においては抵抗値Ｒが大きいＩＤ抵抗１の判別を行う場合には、抵抗値Ｒの異なる各ＩＤ抵抗１での差がだんだん小さくなるため、ＩＤ抵抗１の抵抗値の誤差による影響が表れてしまい、多くの種類のＩＤ抵抗１を判別できるようにすることは難しかった。それに対して本実施形態のように時間遅れを測定する方法では、抵抗値が大きくなるほど時間遅れも大きくなり、抵抗値Ｒの異なる各ＩＤ抵抗１での差については変化が生じにくく、抵抗値Ｒに含まれる誤差の影響を受けにくい。従って、本実施形態の照明装置によれば抵抗値Ｒが大きい値の領域でもＩＤ抵抗１の判別を行うことができる。
【００５５】
また、電源装置１００内にのみ基準コンデンサ３を設けるようにしているので、照明部１０には、ＩＤ抵抗１のみを設けるだけでよい。従って、照明部１０のバリエーションが多かったとしても基準コンデンサ３のキャリブレーションに係る手間へは全く影響しない。つまり、各照明部１０に共通して用いられる電源装置１００だけキャリブレーションすればよいので製造時の手間を大幅に軽減することができる。さらに、照明部１０内に基準コンデンサ３が設けられていないので、光源で発生する熱により静電容量の誤差が生じる心配が無く、測定精度への影響もないため判別できるＩＤ抵抗１の種類に変動が生ずるのを防ぐことができる。
【００５６】
加えて、時間遅れとＩＤ抵抗１の抵抗値とは略比例関係にあることから、前記時間遅れ測定部６２の計測時間を長くするだけでも、より多くの種類のＩＤ抵抗１を判別することができる。つまり、時間遅れ測定部６２を変更してクロックを短くする等しなくても判別数を容易に増やすことができる。もちろん、比例関係があることから、クロックを短くしても、使用できるＩＤ抵抗の抵抗値の間隔を短くして判別できるＩＤ抵抗１の種類を容易に増やすことができる。
【００５７】
このように本実施形態の照明装置によれば、ＩＤ抵抗１の抵抗値Ｒが大きい領域でも判別を行うことができ、抵抗値Ｒが比較的大きいＩＤ抵抗１を使用する事が可能となり、より多くの種類のＩＤ抵抗１を判別することができる。従って、１つの電源装置１００によってより多くの照明部１０を制御できることになる。
【００５８】
また、組立時に基準コンデンサ３に含まれる誤差を測定しておき、その結果に基づいて測定される時間遅れを補正するとともに、２回の判別結果が一致する場合のみＩＤ抵抗１の判別が成功したと判断する構成にしてあるので、誤検出を非常に少なくしたものにできる。
【００５９】
その他の実施形態について説明する。
【００６０】
前記実施形態では、前記基準信号出力部は矩形波をＲＣ回路に対して出力するものであったが、時間遅れを測定できる信号であればどのような基準信号であっても構わない。
【００６１】
前記実施形態では、２回続けて前記ＩＤ抵抗の判別した結果が一致しない限り、前記照明部の判別は行わなかったが、例えば、ＩＤ抵抗の種類を減らし、時間遅れの表れる間隔を大きく取っておく、又は、ある程度の検出誤差は許容するように構成するならば、１回のＩＤ抵抗の判別結果だけで前記照明部の判別を行うように構成しても構わない。
【００６２】
前記実施形態では、ＩＤ抵抗判別用の回路と、前記ＬＥＤに電圧を印加するための回路は独立して構成してあったが、前記ＬＥＤと前記ＩＤ抵抗を並列に設けておき、１つの回路にまとめてしまってもよい。この場合、ＬＥＤ制御用のＦＥＴ等をオフにすることでＩＤ抵抗のみに電流を流し、測定する事によってＩＤ抵抗の判別を行うことができる。
【００６３】
前記実施形態ではマイコンを用いてＲＣ回路による時間遅れを測定し、前記照明部の判別を行うように構成していたが、本発明では、従来の照明装置のようにＡ／Ｄ変換を行う必要が無いので、ＰＬＤ(プログラマブルロジックデバイス)等を用いてもよい。
【００６４】
前記時間遅れ発生素子は、コンデンサだけに限られるものではない。例えば、基準コンデンサの替わりに基準コイルを用いてもよい。
【００６５】
前記実施形態では、前記判断部が２つの判別結果が一致した場合のみＩＤ抵抗が判別された判断するように構成してあったが、更に複数の判別結果が一致した場合のみＩＤ抵抗が判別された判断するように構成しても構わない。例えば、３つの判別結果が一致した場合のみＩＤ抵抗が判別されたと判断されるようにしても構わない。
【００６６】
ＩＤ抵抗は、市販の抵抗値がある基準により定められた系列のものを使用しても構わないが、本発明の電源装置においては自由に抵抗値を選んでＩＤ抵抗の組を作ったとしても十分に判別することができる。
【００６７】
その他、本発明の趣旨に反しない限りにおいて、様々な変形や実施形態の組み合わせを行っても構わない。
【符号の説明】
【００６８】
１・・・ＩＤ抵抗
２・・・ＬＥＤ（光源）
３・・・基準コンデンサ
１０・・・照明部
１００・・・電源装置
６１・・・基準信号出力部
６２・・・時間遅れ測定部
６３・・・特性判別部
７・・・ＲＣ回路（時間遅れ発生回路）
８・・・強制放電回路
６３１・・・抵抗判別部
６３２・・・仮判別結果記憶部
６３３・・・候補判別結果記憶部
６３４・・・判断部
６３５・・・光源特性判別部
【図１】
2011238380.tif 000003
【図２】
2011238380.tif 000004
【図３】
2011238380.tif 000005
【図４】
2011238380.tif 000006
【図５】
2011238380.tif 000007